(57)【特許請求の範囲】
【請求項１】
コードプラグ(4)を脱着自在に連結するインレットコネクター(2)をケース(1)の垂直壁に表出して設けている電気機器において、
インレットコネクター(2)の開口部(5)に、開閉できるカバー(3)を設けており、カバー(3)はケース(1)に固定される固定部(3A)と、インレットコネクター(2)の開口部(5)を閉塞する閉塞部(3B)と、この閉塞部(3B)を固定部(3A)に折曲できるように連結するヒンジ部(3C)とを有し、固定部(3A)はインレットコネクター(2)の上方に位置してケース(1)に固定され、閉塞部(3B)を開いてインレットコネクター(2)にコードプラグ(4)を挿入して連結する状態で、閉塞部(3B)がコードプラグ(4)とインレットコネクター(2)との連結部の上方を覆うように構成してなり、
カバー(3)の固定部(3A)が、インレットコネクター(2)とケース(1)に挟着してケース(1)に固定されてなり、
ケース(1)は、上ケース(1A)と下ケース(1B)とからなり、
上ケース(1A)と下ケース(1B)の間にインレットコネクター(2)を装着していることを特徴とする電気機器。
【請求項２】
カバー(3)が、ヒンジ部(3C)を折曲できる可撓性を有する材料で全体を一体的に成形してなる請求項１に記載される電気機器。
【請求項３】
カバー(3)全体を、ゴム状弾性体で成形しており、閉塞部(3B)がそれ自体の弾性で、インレットコネクター(2)の開口部(5)を閉塞するようにしてなる請求項２に記載される電気機器。
【請求項４】
カバー(3)の閉塞部(3B)が、インレットコネクター(2)の開口部(5)に嵌着される嵌着凸部(17)を有し、この嵌着凸部(17)をインレットコネクター(2)の開口部(5)に嵌着してインレットコネクター(2)の開口部(5)を閉塞するようにしてなる請求項２に記載される電気機器。
【請求項５】
上ケース(1A)は、下方に突出する挟着片(13)を一体成形して設けており、下ケース(1B)は、インレットコネクター(2)を定位置に装着する開口窓(7)を設け、該開口窓(7)に挟着片(13)が挿入され、カバー(3)の固定部(3A)が、インレットコネクター(2)と挟着片(13)に挟着してケース(1)に固定されてなる請求項１に記載される電気機器。
【発明の詳細な説明】
【０００１】
【発明の属する技術分野】
本発明は、コードプラグを脱着自在に連結するインレットコネクターをケースに設けている電気機器に関する。
【０００２】
【従来の技術】
ケースにインレットコネクターを設けている電気機器は、使用しないときにコードプラグを外すことができるのでコンパクトにできる。インレットコネクターには、電源コードや信号コード等を脱着できるように連結する。図１は、電源コードをインレットコネクターに連結する充電器を示している。この図の充電器は、側面に電源コードであるコードプラグ４を連結するインレットコネクター２をケース１の側面の垂直壁に開口して設けている。
【０００３】
【発明が解決しようとする課題】
図１に示す充電器は、コードプラグ４を外した状態で水がかかると、インレットコネクター２の開口部５に水がたまり、この水がインレットコネクター２やコードプラグ４の接点を腐食させて接触不良等の原因となる。この欠点を解消するために、コードプラグ４を連結しないときに、インレットコネクター２の開口部５に脱着蓋１８を嵌入して閉塞する構造が開発されている。この構造の充電器は、脱着蓋１８をインレットコネクター２から外してコードプラグ４を連結するので、脱着蓋１８を紛失しやすい欠点がある。コードプラグ４を連結するときに、脱着蓋１８がケース１から分離されるからである。
【０００４】
さらに、脱着蓋でコードプラグの開口部を閉塞する構造は、インレットコネクターにコードプラグを連結する状態で、コードプラグとインレットコネクターとの間に水が浸入するのを有効に阻止できない欠点もある。このため、コードプラグを連結した状態で水がかかると、この水がインレットコネクターに浸入して、接点を腐食させて接触不良等の原因となる欠点がある。
【０００５】
本発明は、このような欠点を解決することを目的に開発されたものである。本発明の重要な目的は、コードプラグを外した状態のみでなく、コードプラグを連結した状態においても、インレットコネクターに水が浸入するのを有効に阻止して、水に起因する接点の接触不良を極減できる電気機器を提供することにある。
【０００６】
【課題を解決するための手段】
本発明の電気機器は、コードプラグ４を脱着自在に連結するインレットコネクター２をケース１の垂直壁に表出して設けている。電気機器は、インレットコネクター２の開口部５に、開閉できるカバー３を設けている。カバー３は、ケース１に固定される固定部３Ａと、インレットコネクター２の開口部５を閉塞する閉塞部３Ｂと、この閉塞部３Ｂを固定部３Ａに折曲できるように連結するヒンジ部３Ｃとを有する。固定部３Ａは、インレットコネクター２の上方に位置してケース１に固定されており、閉塞部３Ｂを開いてインレットコネクター２にコードプラグ４を挿入して連結する状態で、閉塞部３Ｂがコードプラグ４とインレットコネクター２との連結部の上方を覆う。
そして、カバー３の固定部３Ａが、インレットコネクター２とケース１に挟着してケース１に固定されてなり、ケース１は、上ケース１Ａと下ケース１Ｂとからなり、上ケース１Ａと下ケース１Ｂの間にインレットコネクター２を装着している。
【０００７】
さらに、本発明の請求項２の電気機器は、カバー３が、ヒンジ部３Ｃを折曲できる可撓性を有する材料で全体を一体的に成形している。
【０００８】
さらに、本発明の請求項３の電気機器は、カバー３全体を、ゴム状弾性体で成形しており、閉塞部３Ｂがそれ自体の弾性で、インレットコネクター２の開口部５を閉塞するようにしている。
【０００９】
さらに、本発明の請求項４の電気機器は、カバー３の閉塞部３Ｂが、インレットコネクター２の開口部５に嵌着される嵌着凸部１７を有し、この嵌着凸部１７をインレットコネクター２の開口部５に嵌着してインレットコネクター２の開口部５を閉塞するようにしている。
【００１０】
さらに、本発明の請求項５の電気機器において、上ケース１Ａは、下方に突出する挟着片１３を一体成形して設けており、下ケース１Ｂは、インレットコネクター２を定位置に装着する開口窓７を設け、該開口窓７に挟着片１３が挿入される。カバー３の固定部３Ａが、インレットコネクター２と挟着片１３に挟着してケース１に固定されている。
【００１１】
【発明の実施の形態】
以下、本発明の実施例を図面に基づいて説明する。ただし、以下に示す実施例は、本発明の技術思想を具体化するための電気機器を例示するものであって、本発明は電気機器を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２ないし図４に示す電気機器は、ケース１の垂直壁にインレットコネクター２を設けている。本発明は電気機器を特定しない。電気機器は、たとえば、充電器、テープレコーダー、ＣＤまたはＭＤプレイヤー等の機器である。
【００１４】
図に示す電気機器は、プラスチック製の上下のケース１を連結して、内部にプリント基板１４等の電子回路やメカニズムを内蔵している。電気機器は、上ケース１Ａと下ケース１Ｂの間にインレットコネクター２を装着している。インレットコネクター２は、コードプラグ４を脱着できるように連結する。上下のケース１にインレットコネクター２を装着する部分の分解斜視図を図３に示す。この図に示すインレットコネクター２は、コードプラグ４を挿入する開口部５を有し、この開口部５の中心に金属製の電極ロッド６を平行に固定している。図のインレットコネクター２の開口部５は、円柱を２列に並べた形状として、円柱の中心に電極ロッド６を固定している。
【００１５】
インレットコネクター２は、ケース１に内蔵されるプリント基板１４に固定されて、電極ロッド６をプリント基板１４に接続している。図３に示す下ケース１Ｂは、インレットコネクター２を定位置に装着する開口窓７を設けている。開口窓７は方形状で、両側の周縁に固定リブ８を一体成形して設けており、下縁には水抜き用の溝を設けている。水抜き溝９は、図４に示す下ケース１Ｂの水抜孔１０に連通している。
【００１６】
開口窓７の両側に設けた固定リブ８は、インレットコネクター２の前面に設けている方形状鍔１１の内側に位置して、開口窓７にインレットコネクター２を装着した状態で、インレットコネクター２とケース１との間から水が浸入するのを防止する。このため、この構造のケース１は、インレットコネクター２を固定リブ８で定位置に装着して、しかも、水を浸入し難い構造にできる。インレットコネクター２は、固定リブ８の内側に位置して縦リブ１２を一体成形して設けている。ケース１の固定リブ８を、この縦リブ１２と方形状鍔１１との間に配設して、インレットコネクター２をケース１の定位置に装着する。
【００１７】
さらに、図３に示す上ケース１Ａは、インレットコネクター２を下ケース１Ｂの開口窓７に押し込んで挟着状態で固定し、さらに、カバー３をインレットコネクター２の上に挟着して固定するために、下方に突出する挟着片１３を一体成形して設けている。挟着片１３は、開口窓７に挿入できる幅で、下端縁でカバー３を挟着して、カバー３とインレットコネクター２とを開口窓７に固定できる長さに突出している。挟着片１３の下面には、カバー３に設けたスリット１５に嵌入される位置決凸部（図示せず）を設けている。この構造のケース１は、開口窓７にインレットコネクター２とカバー３とを装着する状態で、上下のケース１を連結して、インレットコネクター２とカバー３を定位置に挟着して固定できる。この状態で、カバー３がインレットコネクター２の上方に位置するように、カバー３とインレットコネクター２とが固定される。
【００１８】
コードプラグ４は、図示しないが、開口部５に挿入して連結できる嵌着部を有する。嵌着部は、開口部５の内形にほぼ等しいが多少は小さい外形の２列円柱状である。嵌着部は、円柱の中心に、電極ロッド６を挿入して連結される電極端子を内蔵している。電極端子はコード１６に接続している。コードプラグ４の嵌着部をインレットコネクター２に挿入すると、コードプラグ４の電極端子に電極ロッド６が挿入され、電極端子と電極ロッド６とが電気的に接続される。
【００１９】
インレットコネクター２は、図１〜図４に示すように、開口部５に開閉できるカバー３を設けている。カバー３は、図４と図５に示すように、ケース１に固定される固定部３Ａと、インレットコネクター２の開口部５を閉塞できる大きさと形状の閉塞部３Ｂと、この閉塞部３Ｂを固定部３Ａに折曲できるように連結しているヒンジ部３Ｃとを有する。
【００２０】
カバー３は、ヒンジ部３Ｃを折曲できる可撓性を有する材料で全体を一体的に成形している。成形されたカバー３は、閉塞部３Ｂを押圧しない状態、いいかえると、外部から力を加えない状態では、図５に示すように、Ｌ字状に折曲された形状を保持する。それ自体の弾性で、閉塞部３Ｂがインレットコネクター２の開口部５を閉塞するためである。
【００２１】
カバー３は、好ましくは全体をゴム状弾性体で成形する。カバー３を成形するゴム状弾性体には、シリコンゴムが適している。ただ、カバーを成形するゴム状弾性体は、シリコンゴム以外の天然あるいは合成ゴムも使用できる。ゴム状弾性体で全体を一体的に成形しているカバー３は、それ自体の弾性で、閉塞部３Ｂがインレットコネクター２の開口部５を閉塞するように、断面形状をＬ字状に成形する。
【００２２】
図３と図５に示すカバー３の固定部３Ａは、ケース１の定位置に固定するために、ケース１に設けているリブを嵌入するスリット１５を、縦横に複数列に設けている。図に示すカバー３は、縦方向と横方向にふたつのスリット１５を設けている。スリット１５にケース１のリブを嵌入して、カバー３をケース１に装着する構造は、簡単に正確な位置にカバー３を装着できる。
【００２３】
さらに、図３と図５に示すカバー３は、ヒンジ部３Ｃを折曲ラインに沿って薄く成形して、閉塞部３Ｂをよりスムーズに折曲して変形できるようにしている。また、閉塞部３Ｂの内面には、インレットコネクター２の開口部５に嵌合されて節度を出す嵌着凸部１７を一体成形して設けている。この構造のカバー３は、閉塞部３Ｂの嵌着凸部１７をインレットコネクター２に嵌合させることにより、閉塞部３Ｂで開口部５を確実に閉塞できる。このため、コードプラグ４を外したときに、インレットコネクター２の開口部５に水等が浸入するのをより確実に阻止できる。
【００２４】
【発明の効果】
本発明の電気機器は、コードプラグを外した状態のみでなく、コードプラグを連結した状態においても、インレットコネクターに水が浸入するのを有効に阻止して、水に起因する接点の接触不良を極減できる特長がある。それは、本発明の電気機器が、ケースの垂直壁に表出して設けられたインレットコネクターの開口部に、開閉できるカバーを設けており、このカバーが、ケースに固定される固定部と、インレットコネクターの開口部を閉塞する閉塞部と、閉塞部を固定部に折曲自在に連結するヒンジ部とを有すると共に、固定部がインレットコネクターの上方に位置してケースに固定されており、さらに、閉塞部を開いてインレットコネクターにコードプラグを連結する状態で、閉塞部がコードプラグとインレットコネクターとの連結部の上方を覆っているからである。
【００２５】
この構造の電気機器は、カバーの閉塞部を開いてコードプラグをインレットコネクターに連結した状態では、図４に示すように、閉塞部が、コードプラグとインレットコネクターとの連結部の上方に位置して、ひさしのように作用し、上方から水が浸入するのを有効に阻止する。とくに、閉塞部は、ヒンジ部の弾性でコードプラグの上面に押圧されるので、この部分を確実に保護して水の浸入を阻止する。したがって、本発明の電気機器は、コードプラグを連結した状態における、インレットコネクターへの水の浸入を防止して、水に起因する接点の腐食を防止し、接点の接触不良を極減できる特長が実現できる。
【００２６】
さらに、本発明の電気機器は、カバーの固定部が、インレットコネクターの上方に位置してケースに固定されているので、カバーとケースとを分離することなく、閉塞部を開いてインレットコネクターにコードプラグを脱着できる。したがって、従来のように、コードプラグの脱着に伴ってカバーを紛失する心配がなく、安心してコードプラグを脱着できる特長がある。
【図面の簡単な説明】
【図１】従来の電気機器の断面図
【図２】本発明の実施例の電気機器の側面図
【図３】図２に示す電気機器の要部拡大分解斜視図
【図４】本発明の実施例の電気機器にコードプラグを連結する状態を示す断面図
【図５】カバーの正面図、平面図及び側面図
【符号の説明】
１…ケース                １Ａ…上ケース          １Ｂ…下ケース
２…インレットコネクター
３…カバー                ３Ａ…固定部            ３Ｂ…閉塞部
３Ｃ…ヒンジ部
４…コードプラグ
５…開口部
６…電極ロッド
７…開口窓
８…固定リブ
９…水抜き溝
１０…水抜孔
１１…方形状鍔
１２…縦リブ
１３…挟着片
１４…プリント基板
１５…スリット
１６…コード
１７…嵌着凸部
１８…脱着蓋
【図１】
0004121666.tif 000002
【図２】
0004121666.tif 000003
【図３】
0004121666.tif 000004
【図４】
0004121666.tif 000005
【図５】
0004121666.tif 000006